(57)【特許請求の範囲】
【請求項１】
各建物で消費される電力を管理する広域管理システムであって、
広域管理装置と、
各建物に対応して設けられた建物管理装置と
を備え、
前記広域管理装置は、
管理者の操作端末から消費電力の制御指令の選択を受け付ける受付部と、
前記受付部が受け付けた１つの制御指令を、複数の前記建物管理装置のそれぞれへ送信する制御指令送信部と
を有し、
前記建物管理装置は、
前記制御指令に対応付けて、当該制御指令を実現するために、当該建物管理装置に対応する建物内の各設備機器に対して行うべき制御内容を記述したイベントプログラムを保持するイベントプログラム保持部と、
前記広域管理装置から前記制御指令を受信した場合に、当該制御指令に対応するイベントプログラムを前記イベントプログラム保持部から抽出するイベントプログラム抽出部と、
抽出されたイベントプログラムを実行して各設備機器の消費電力を制御するイベントプログラム実行部と
を有し、
前記建物管理装置は、
当該建物管理装置に対応する建物内の各設備機器の消費電力を含む電力情報を随時収集して前記広域管理装置へ送信する電力情報送信部
をさらに有し、
前記広域管理装置は、
それぞれの前記建物に対応付けて、当該建物内の各設備機器の電力情報を保持する第１の電力情報保持部と、
前記建物管理装置から前記電力情報を受信して前記第１の電力情報保持部に保持させる電力情報受信部と、
前記第１の電力情報保持部が保持している電力情報を統計処理して前記制御指令を生成して前記制御指令送信部に送信させる第１の制御指令生成部と
をさらに有し、
前記第１の制御指令生成部は、
前記受付部が前記制御指令の選択を最後に受け付けてから、または、前記第１の電力情報保持部が保持している電力情報に基づいて最後に制御指令を生成してから、第１の時間が経過した場合に、前記第１の電力情報保持部が保持している電力情報に基づいて前記制御指令を生成する
ことを特徴とする広域管理システム。
【請求項２】
請求項１に記載の広域管理システムであって、
前記第１の制御指令生成部は、
前記第１の電力情報保持部が保持している電力情報を参照して、最新の時点を除くそれぞれの時点における各建物内の設備機器の消費電力の合計を、複数の建物についてさらに合計し、その合計を所定期間前までの期間で平均して平均値を算出し、最新の時点における各建物内の設備機器の消費電力の合計を、複数の建物についてさらに合計して、算出した合計から前記平均値を引いた差分の値に応じた制御指令を生成する
ことを特徴とする広域管理システム。
【請求項３】
各建物で消費される電力を管理する広域管理システムであって、
広域管理装置と、
各建物に対応して設けられた建物管理装置と
を備え、
前記広域管理装置は、
管理者の操作端末から消費電力の制御指令の選択を受け付ける受付部と、
前記受付部が受け付けた１つの制御指令を、複数の前記建物管理装置のそれぞれへ送信する制御指令送信部と
を有し、
前記建物管理装置は、
前記制御指令に対応付けて、当該制御指令を実現するために、当該建物管理装置に対応する建物内の各設備機器に対して行うべき制御内容を記述したイベントプログラムを保持するイベントプログラム保持部と、
前記広域管理装置から前記制御指令を受信した場合に、当該制御指令に対応するイベントプログラムを前記イベントプログラム保持部から抽出するイベントプログラム抽出部と、
抽出されたイベントプログラムを実行して各設備機器の消費電力を制御するイベントプログラム実行部と
を有し、
前記建物管理装置は、
当該建物管理装置に対応する建物内の各設備機器に対応付けて、当該設備機器の消費電力を含む電力情報を保持する第２の電力情報保持部と、
当該建物管理装置に対応する建物内の各設備機器から前記電力情報を随時収集して前記第２の電力情報保持部に保持させる電力情報収集部と、
前記第２の電力情報保持部が保持している電力情報を統計処理して前記制御指令を生成して、対応するイベントプログラムを前記イベントプログラム抽出部に抽出させる第２の制御指令生成部と
をさらに有し、
前記第２の制御指令生成部は、
前記広域管理装置から最後に制御指令を受信してから、または、前記第２の電力情報保持部が保持している電力情報に基づいて最後に制御指令を生成してから、第２の時間が経過した場合に、前記第２の電力情報保持部が保持している電力情報を統計処理して前記制御指令を生成する
ことを特徴とする広域管理システム。
【請求項４】
請求項３に記載の広域管理システムであって、
前記第２の制御指令生成部は、
前記第２の電力情報保持部が保持している電力情報を参照して、最新の時点を除くそれぞれの時点における設備機器の消費電力の合計を、所定期間前までの期間で平均して平均値を算出し、最新の時点における設備機器の消費電力の合計から前記平均値を引いた差分の値に応じた制御指令を生成する
ことを特徴とする広域管理システム。
【請求項５】
各建物で消費される電力を管理する広域管理装置であって、
管理者の操作端末から消費電力の制御指令の選択を受け付ける受付部と、
前記受付部が受け付けた１つの制御指令を、それぞれの建物内の設備機器の動作を制御する建物管理装置へ送信する制御指令送信部と、
それぞれの前記建物に対応付けて、当該建物内の各設備機器の電力情報を保持する第１の電力情報保持部と、
前記建物管理装置から前記電力情報を受信して前記第１の電力情報保持部に保持させる電力情報受信部と、
前記第１の電力情報保持部が保持している電力情報を統計処理して前記制御指令を生成して前記制御指令送信部に送信させる第１の制御指令生成部と
を有し、
前記第１の制御指令生成部は、
前記受付部が前記制御指令の選択を最後に受け付けてから、または、前記第１の電力情報保持部が保持している電力情報に基づいて最後に制御指令を生成してから、第１の時間が経過した場合に、前記第１の電力情報保持部が保持している電力情報に基づいて前記制御指令を生成する
ことを特徴とする広域管理装置。
【請求項６】
建物で消費される電力を制御する建物管理装置であって、
消費電力の削減を指示する制御指令に対応付けて、当該制御指令を実現するために、当該建物管理装置に対応する建物内の各設備機器に対して行うべき制御内容を記述したイベントプログラムを保持するイベントプログラム保持部と、
複数の前記建物管理装置に対して前記制御指令を送信する広域管理装置から前記制御指令を受信した場合に、当該制御指令に対応するイベントプログラムを前記イベントプログラム保持部から抽出するイベントプログラム抽出部と、
抽出されたイベントプログラムを実行して各設備機器の消費電力を制御するイベントプログラム実行部と、
当該建物管理装置に対応する建物内の各設備機器に対応付けて、当該設備機器の消費電力を含む電力情報を保持する第２の電力情報保持部と、
当該建物管理装置に対応する建物内の各設備機器から前記電力情報を随時収集して前記第２の電力情報保持部に保持させる電力情報収集部と、
前記第２の電力情報保持部が保持している電力情報を統計処理して前記制御指令を生成して、対応するイベントプログラムを前記イベントプログラム抽出部に抽出させる第２の制御指令生成部と
を有し、
前記第２の制御指令生成部は、
前記広域管理装置から最後に制御指令を受信してから、または、前記第２の電力情報保持部が保持している電力情報に基づいて最後に制御指令を生成してから、第２の時間が経過した場合に、前記第２の電力情報保持部が保持している電力情報を統計処理して前記制御指令を生成する
ことを特徴とする建物管理装置。
【請求項７】
広域管理装置と、各建物に対応して設けられた建物管理装置とを備える広域管理システムにおける広域管理方法であって、
前記広域管理装置が、
管理者の操作端末から消費電力の制御指令の選択を受け付ける受付ステップと、
前記受付ステップにおいて受け付けた１つの制御指令を、各建物に対応して設けられた建物管理装置のそれぞれへ送信する制御指令送信ステップと
を実行し、
前記建物管理装置が、
前記広域管理装置から前記制御指令を受信した場合に、前記制御指令に対応付けて、当該制御指令を実現するために、当該建物管理装置に対応する建物内の各設備機器に対して行うべき制御内容を記述したイベントプログラムを保持するイベントプログラム保持部を参照して、当該制御指令に対応するイベントプログラムを抽出するイベントプログラム抽出ステップと、
抽出したイベントプログラムを実行して各設備機器の消費電力を制御するイベントプログラム実行ステップと
を実行し、
前記建物管理装置は、
当該建物管理装置に対応する建物内の各設備機器の消費電力を含む電力情報を随時収集して前記広域管理装置へ送信する電力情報送信ステップ
をさらに実行し、
前記広域管理装置は、
前記建物管理装置から前記電力情報を受信し、受信した電力情報を、当該前記建物管理装置に対応する建物に対応付けて第１の電力情報保持部に保持させる電力情報受信ステップと、
前記第１の電力情報保持部が保持している電力情報を統計処理して、前記制御指令送信ステップにおいて送信する前記制御指令を生成する第１の制御指令生成ステップと
をさらに実行し、
前記広域管理装置は、前記第１の制御指令生成ステップにおいて、
前記受付ステップにおいて前記制御指令の選択を最後に受け付けてから、または、前記第１の電力情報保持部が保持している電力情報に基づいて最後に制御指令を生成してから、第１の時間が経過した場合に、前記第１の電力情報保持部が保持している電力情報を統計処理して前記制御指令を生成する
ことを特徴とする広域管理方法。
【請求項８】
請求項７に記載の広域管理方法であって、
前記広域管理装置は、前記第１の制御指令生成ステップにおいて、
前記第１の電力情報保持部が保持している電力情報を参照して、最新の時点を除くそれぞれの時点における各建物内の設備機器の消費電力の合計を、複数の建物についてさらに合計し、その合計を所定期間前までの期間で平均して平均値を算出し、最新の時点における各建物内の設備機器の消費電力の合計を、複数の建物についてさらに合計して、算出した合計から前記平均値を引いた差分の値に応じた制御指令を生成する
ことを特徴とする広域管理方法。
【請求項９】
広域管理装置と、各建物に対応して設けられた建物管理装置とを備える広域管理システムにおける広域管理方法であって、
前記広域管理装置が、
管理者の操作端末から消費電力の制御指令の選択を受け付ける受付ステップと、
前記受付ステップにおいて受け付けた１つの制御指令を、各建物に対応して設けられた建物管理装置のそれぞれへ送信する制御指令送信ステップと
を実行し、
前記建物管理装置が、
前記広域管理装置から前記制御指令を受信した場合に、前記制御指令に対応付けて、当該制御指令を実現するために、当該建物管理装置に対応する建物内の各設備機器に対して行うべき制御内容を記述したイベントプログラムを保持するイベントプログラム保持部を参照して、当該制御指令に対応するイベントプログラムを抽出するイベントプログラム抽出ステップと、
抽出したイベントプログラムを実行して各設備機器の消費電力を制御するイベントプログラム実行ステップと
を実行し、
前記建物管理装置は、
当該建物管理装置に対応する建物内の各設備機器から、当該設備機器の消費電力を含む電力情報を随時収集して、当該設備機器に対応付けて第２の電力情報保持部に保持させる電力情報収集ステップと、
前記第２の電力情報保持部が保持している電力情報を統計処理して、前記イベントプログラム抽出ステップにおいて前記イベントプログラムを抽出するための前記制御指令を生成する第２の制御指令生成ステップと
をさらに実行し、
前記建物管理装置は、前記第２の制御指令生成ステップにおいて、
前記広域管理装置から前記制御指令を最後に受信してから、または、前記第２の電力情報保持部が保持している電力情報に基づいて最後に制御指令を生成してから、第２の時間が経過した場合に、前記第２の電力情報保持部が保持している電力情報を統計処理して前記制御指令を生成する
ことを特徴とする広域管理方法。
【請求項１０】
請求項９に記載の広域管理方法であって、
前記建物管理装置は、前記第２の制御指令生成ステップにおいて、
前記２の電力情報保持部が保持している電力情報を参照して、最新の時点を除くそれぞれの時点における設備機器の消費電力の合計を、所定期間前までの期間で平均して平均値を算出し、最新の時点における設備機器の消費電力の合計から前記平均値を引いた差分の値に応じた制御指令を生成する
ことを特徴とする広域管理方法。
【請求項１１】
各建物で消費される電力を管理する広域管理装置における広域管理方法であって、
前記広域管理装置が、
管理者の操作端末から消費電力の制御指令の選択を受け付ける受付ステップと、
前記受付ステップにおいて受け付けた１つの制御指令を、それぞれの建物内の設備機器の動作を制御する建物管理装置へ送信する制御指令送信ステップと、
前記建物管理装置から前記電力情報を受信し、受信した電力情報を、当該前記建物管理装置に対応する建物に対応付けて第１の電力情報保持部に保持させる電力情報受信ステップと、
前記第１の電力情報保持部が保持している電力情報を統計処理して、前記制御指令送信ステップにおいて送信する前記制御指令を生成する第１の制御指令生成ステップと
を実行し、
前記広域管理装置は、前記第１の制御指令生成ステップにおいて、
前記受付ステップにおいて前記制御指令の選択を最後に受け付けてから、または、前記第１の電力情報保持部が保持している電力情報に基づいて最後に制御指令を生成してから、第１の時間が経過した場合に、前記第１の電力情報保持部が保持している電力情報を統計処理して前記制御指令を生成する
ことを特徴とする広域管理方法。
【請求項１２】
建物で消費される電力を制御する建物管理装置における広域管理方法であって、
前記建物管理装置が、
消費電力の削減を指示する制御指令を複数の前記建物管理装置に対して送信する広域管理装置から前記制御指令を受信した場合に、前記制御指令に対応付けて、当該制御指令を実現するために、当該建物管理装置に対応する建物内の各設備機器に対して行うべき制御内容を記述したイベントプログラムを保持するイベントプログラム保持部を参照して、当該制御指令に対応するイベントプログラムを抽出するイベントプログラム抽出ステップと、
抽出したイベントプログラムを実行して各設備機器の消費電力を制御するイベントプログラム実行ステップと、
当該建物管理装置に対応する建物内の各設備機器から、当該設備機器の消費電力を含む電力情報を随時収集して、当該設備機器に対応付けて第２の電力情報保持部に保持させる電力情報収集ステップと、
前記第２の電力情報保持部が保持している電力情報を統計処理して、前記イベントプログラム抽出ステップにおいて前記イベントプログラムを抽出するための前記制御指令を生成する第２の制御指令生成ステップと
を実行し、
前記建物管理装置は、前記第２の制御指令生成ステップにおいて、
前記広域管理装置から前記制御指令を最後に受信してから、または、前記第２の電力情報保持部が保持している電力情報に基づいて最後に制御指令を生成してから、第２の時間が経過した場合に、前記第２の電力情報保持部が保持している電力情報を統計処理して前記制御指令を生成する
ことを特徴とする広域管理方法。
【発明の詳細な説明】
【技術分野】
【０００１】
本発明は、広域管理システム、広域管理装置、建物管理装置、および広域管理方法に関する。本発明は2013年4月11日に出願された日本国特許の出願番号2013-82578の優先権を主張し、文献の参照による織り込みが認められる指定国については、その出願に記載された内容は参照により本出願に織り込まれる。
【背景技術】
【０００２】
従来から、ビル、病院、学校や工場などの建物には、設備機器を管理する管理装置が存在しており、また、複数の建物における設備機器の情報を、通信ネットワークを介して遠隔の場所からモニタリングするシステムが存在している。【０００３】
このように、通信ネットワークの高速化、広帯域化によって、広域に点在する建物間でのデータの比較を容易かつリアルタイムに行い、複数の建物内の設備機器を連動させて自動制御する技術が開示されている（例えば特許文献１参照）。
【先行技術文献】
【特許文献】
【０００４】
【特許文献１】特開２０１２−５３５４９号公報
【発明の概要】
【発明が解決しようとする課題】
【０００５】
ところで、上記特許文献１の広域管理装置は、イベントプログラム選択手段において複数の建物に指令を出すことができるものの、管理対象の建物の数が増加すると、それぞれの建物毎に出す指令を作成するためのイベントプログラムも増加し、そのイベントプログラムを管理することが困難になる。例えば１時間単位などの短い時間間隔で各建物の消費電力を制御することが必要となる場合があるが、上記特許文献１の広域管理装置は複数の建物の消費電力を集中管理するため、管理対象の建物の数が多いと、その都度、建物毎に個別に指令を作成することは時間的に困難な場合がある。【０００６】
本発明は上記事情を鑑みてなされたものであり、本発明の目的は、管理対象の建物の数が多い場合であっても、個々の建物の消費電力を適切に管理することができるようにすることにある。
【課題を解決するための手段】
【０００７】
上記の課題を解決するための本発明の一態様は、各建物で消費される電力を管理する広域管理システムであって、広域管理装置と、各建物に対応して設けられた建物管理装置とを備える。前記広域管理装置は、管理者の操作端末から消費電力の制御指令の選択を受け付ける受付部と、前記受付部が受け付けた１つの制御指令を、複数の前記建物管理装置のそれぞれへ送信する制御指令送信部とを有する。前記建物管理装置は、前記制御指令に対応付けて、当該制御指令を実現するために、当該建物管理装置に対応する建物内の各設備機器に対して行うべき制御内容を記述したイベントプログラムを保持するイベントプログラム保持部と、前記広域管理装置から前記制御指令を受信した場合に、当該制御指令に対応するイベントプログラムを前記イベントプログラム保持部から抽出するイベントプログラム抽出部と、抽出されたイベントプログラムを実行して各設備機器の消費電力を制御するイベントプログラム実行部とを有する。前記建物管理装置は、当該建物管理装置に対応する建物内の各設備機器の消費電力を含む電力情報を随時収集して前記広域管理装置へ送信する電力情報送信部をさらに有する。前記広域管理装置は、それぞれの前記建物に対応付けて、当該建物内の各設備機器の電力情報を保持する第１の電力情報保持部と、前記建物管理装置から前記電力情報を受信して前記第１の電力情報保持部に保持させる電力情報受信部と、前記第１の電力情報保持部が保持している電力情報を統計処理して前記制御指令を生成して前記制御指令送信部に送信させる第１の制御指令生成部とをさらに有する。前記第１の制御指令生成部は、前記受付部が前記制御指令の選択を最後に受け付けてから、または、前記第１の電力情報保持部が保持している電力情報に基づいて最後に制御指令を生成してから、第１の時間が経過した場合に、前記第１の電力情報保持部が保持している電力情報に基づいて前記制御指令を生成する。
【０００８】
上記した広域管理システムにおいて、前記第１の制御指令生成部は、前記第１の電力情報保持部が保持している電力情報を参照して、最新の時点を除くそれぞれの時点における各建物内の設備機器の消費電力の合計を、複数の建物についてさらに合計し、その合計を所定期間前までの期間で平均して平均値を算出し、最新の時点における各建物内の設備機器の消費電力の合計を、複数の建物についてさらに合計して、算出した合計から前記平均値を引いた差分の値に応じた制御指令を生成してもよい。
【０００９】
上記の課題を解決するための本発明の他の態様は、建物で消費される電力を管理する広域管理システムであって、広域管理装置と、各建物に対応して設けられた建物管理装置とを備える。前記広域管理装置は、管理者の操作端末から消費電力の制御指令の選択を受け付ける受付部と、前記受付部が受け付けた１つの制御指令を、複数の前記建物管理装置のそれぞれへ送信する制御指令送信部とを有する。前記建物管理装置は、前記制御指令に対応付けて、当該制御指令を実現するために、当該建物管理装置に対応する建物内の各設備機器に対して行うべき制御内容を記述したイベントプログラムを保持するイベントプログラム保持部と、前記広域管理装置から前記制御指令を受信した場合に、当該制御指令に対応するイベントプログラムを前記イベントプログラム保持部から抽出するイベントプログラム抽出部と、抽出されたイベントプログラムを実行して各設備機器の消費電力を制御するイベントプログラム実行部とを有する。前記建物管理装置は、当該建物管理装置に対応する建物内の各設備機器に対応付けて、当該設備機器の消費電力を含む電力情報を保持する第２の電力情報保持部と、当該建物管理装置に対応する建物内の各設備機器から前記電力情報を随時収集して前記第２の電力情報保持部に保持させる電力情報収集部と、前記第２の電力情報保持部が保持している電力情報を統計処理して前記制御指令を生成して、対応するイベントプログラムを前記イベントプログラム抽出部に抽出させる第２の制御指令生成部とをさらに有する。前記第２の制御指令生成部は、前記広域管理装置から最後に制御指令を受信してから、または、前記第２の電力情報保持部が保持している電力情報に基づいて最後に制御指令を生成してから、第２の時間が経過した場合に、前記第２の電力情報保持部が保持している電力情報を統計処理して前記制御指令を生成する。
【００１０】
上記した広域管理システムにおいて、前記第２の制御指令生成部は、前記第２の電力情報保持部が保持している電力情報を参照して、最新の時点を除くそれぞれの時点における設備機器の消費電力の合計を、所定期間前までの期間で平均して平均値を算出し、最新の時点における設備機器の消費電力の合計から前記平均値を引いた差分の値に応じた制御指令を生成してもよい。
【００１１】
上記の課題を解決するための本発明のさらに他の態様は、各建物で消費される電力を管理する広域管理装置であって、管理者の操作端末から消費電力の制御指令の選択を受け付ける受付部と、前記受付部が受け付けた１つの制御指令を、それぞれの建物内の設備機器の動作を制御する建物管理装置へ送信する制御指令送信部と、それぞれの前記建物に対応付けて、当該建物内の各設備機器の電力情報を保持する第１の電力情報保持部と、前記建物管理装置から前記電力情報を受信して前記第１の電力情報保持部に保持させる電力情報受信部と、前記第１の電力情報保持部が保持している電力情報を統計処理して前記制御指令を生成して前記制御指令送信部に送信させる第１の制御指令生成部とを有する。前記第１の制御指令生成部は、前記受付部が前記制御指令の選択を最後に受け付けてから、または、前記第１の電力情報保持部が保持している電力情報に基づいて最後に制御指令を生成してから、第１の時間が経過した場合に、前記第１の電力情報保持部が保持している電力情報に基づいて前記制御指令を生成する。
【００１２】
上記の課題を解決するための本発明のさらに他の態様は、建物で消費される電力を制御する建物管理装置であって、消費電力の削減を指示する制御指令に対応付けて、当該制御指令を実現するために、当該建物管理装置に対応する建物内の各設備機器に対して行うべき制御内容を記述したイベントプログラムを保持するイベントプログラム保持部と、複数の前記建物管理装置に対して前記制御指令を送信する広域管理装置から前記制御指令を受信した場合に、当該制御指令に対応するイベントプログラムを前記イベントプログラム保持部から抽出するイベントプログラム抽出部と、抽出されたイベントプログラムを実行して各設備機器の消費電力を制御するイベントプログラム実行部と、当該建物管理装置に対応する建物内の各設備機器に対応付けて、当該設備機器の消費電力を含む電力情報を保持する第２の電力情報保持部と、当該建物管理装置に対応する建物内の各設備機器から前記電力情報を随時収集して前記第２の電力情報保持部に保持させる電力情報収集部と、前記第２の電力情報保持部が保持している電力情報を統計処理して前記制御指令を生成して、対応するイベントプログラムを前記イベントプログラム抽出部に抽出させる第２の制御指令生成部とを有する。前記第２の制御指令生成部は、前記広域管理装置から最後に制御指令を受信してから、または、前記第２の電力情報保持部が保持している電力情報に基づいて最後に制御指令を生成してから、第２の時間が経過した場合に、前記第２の電力情報保持部が保持している電力情報を統計処理して前記制御指令を生成する。
【００１３】
上記の課題を解決するための本発明のさらに他の態様は、広域管理装置と、各建物に対応して設けられた建物管理装置とを備える広域管理システムにおける広域管理方法であって、前記広域管理装置が、管理者の操作端末から消費電力の制御指令の選択を受け付ける受付ステップと、前記受付ステップにおいて受け付けた１つの制御指令を、各建物に対応して設けられた建物管理装置のそれぞれへ送信する制御指令送信ステップとを実行する。前記建物管理装置が、前記広域管理装置から前記制御指令を受信した場合に、前記制御指令に対応付けて、当該制御指令を実現するために、当該建物管理装置に対応する建物内の各設備機器に対して行うべき制御内容を記述したイベントプログラムを保持するイベントプログラム保持部を参照して、当該制御指令に対応するイベントプログラムを抽出するイベントプログラム抽出ステップと、抽出したイベントプログラムを実行して各設備機器の消費電力を制御するイベントプログラム実行ステップとを実行する。前記建物管理装置は、当該建物管理装置に対応する建物内の各設備機器の消費電力を含む電力情報を随時収集して前記広域管理装置へ送信する電力情報送信ステップをさらに実行する。前記広域管理装置は、前記建物管理装置から前記電力情報を受信し、受信した電力情報を、当該前記建物管理装置に対応する建物に対応付けて第１の電力情報保持部に保持させる電力情報受信ステップと、前記第１の電力情報保持部が保持している電力情報を統計処理して、前記制御指令送信ステップにおいて送信する前記制御指令を生成する第１の制御指令生成ステップとをさらに実行する。前記広域管理装置は、前記第１の制御指令生成ステップにおいて、前記受付ステップにおいて前記制御指令の選択を最後に受け付けてから、または、前記第１の電力情報保持部が保持している電力情報に基づいて最後に制御指令を生成してから、第１の時間が経過した場合に、前記第１の電力情報保持部が保持している電力情報を統計処理して前記制御指令を生成する。
【００１４】
上記した広域管理方法において、前記広域管理装置は、前記第１の制御指令生成ステップにおいて、前記第１の電力情報保持部が保持している電力情報を参照して、最新の時点を除くそれぞれの時点における各建物内の設備機器の消費電力の合計を、複数の建物についてさらに合計し、その合計を所定期間前までの期間で平均して平均値を算出し、最新の時点における各建物内の設備機器の消費電力の合計を、複数の建物についてさらに合計して、算出した合計から前記平均値を引いた差分の値に応じた制御指令を生成してもよい。
【００１５】
上記の課題を解決するための本発明のさらに他の態様は、広域管理装置と、各建物に対応して設けられた建物管理装置とを備える広域管理システムにおける広域管理方法であって、前記広域管理装置が、管理者の操作端末から消費電力の制御指令の選択を受け付ける受付ステップと、前記受付ステップにおいて受け付けた１つの制御指令を、各建物に対応して設けられた建物管理装置のそれぞれへ送信する制御指令送信ステップとを実行する。前記建物管理装置が、前記広域管理装置から前記制御指令を受信した場合に、前記制御指令に対応付けて、当該制御指令を実現するために、当該建物管理装置に対応する建物内の各設備機器に対して行うべき制御内容を記述したイベントプログラムを保持するイベントプログラム保持部を参照して、当該制御指令に対応するイベントプログラムを抽出するイベントプログラム抽出ステップと、抽出したイベントプログラムを実行して各設備機器の消費電力を制御するイベントプログラム実行ステップとを実行する。前記建物管理装置は、当該建物管理装置に対応する建物内の各設備機器から、当該設備機器の消費電力を含む電力情報を随時収集して、当該設備機器に対応付けて第２の電力情報保持部に保持させる電力情報収集ステップと、前記第２の電力情報保持部が保持している電力情報を統計処理して、前記イベントプログラム抽出ステップにおいて前記イベントプログラムを抽出するための前記制御指令を生成する第２の制御指令生成ステップとをさらに実行する。前記建物管理装置は、前記第２の制御指令生成ステップにおいて、前記広域管理装置から前記制御指令を最後に受信してから、または、前記第２の電力情報保持部が保持している電力情報に基づいて最後に制御指令を生成してから、第２の時間が経過した場合に、前記第２の電力情報保持部が保持している電力情報を統計処理して前記制御指令を生成する。
【００１６】
上記した広域管理方法において、前記建物管理装置は、前記第２の制御指令生成ステップにおいて、前記２の電力情報保持部が保持している電力情報を参照して、最新の時点を除くそれぞれの時点における設備機器の消費電力の合計を、所定期間前までの期間で平均して平均値を算出し、最新の時点における設備機器の消費電力の合計から前記平均値を引いた差分の値に応じた制御指令を生成してもよい。
【００１７】
上記の課題を解決するための本発明のさらに他の態様は、各建物で消費される電力を管理する広域管理装置における広域管理方法であって、前記広域管理装置が、管理者の操作端末から消費電力の制御指令の選択を受け付ける受付ステップと、前記受付ステップにおいて受け付けた１つの制御指令を、それぞれの建物内の設備機器の動作を制御する建物管理装置へ送信する制御指令送信ステップと、前記建物管理装置から前記電力情報を受信し、受信した電力情報を、当該前記建物管理装置に対応する建物に対応付けて第１の電力情報保持部に保持させる電力情報受信ステップと、前記第１の電力情報保持部が保持している電力情報を統計処理して、前記制御指令送信ステップにおいて送信する前記制御指令を生成する第１の制御指令生成ステップとを実行する。前記広域管理装置は、前記第１の制御指令生成ステップにおいて、前記受付ステップにおいて前記制御指令の選択を最後に受け付けてから、または、前記第１の電力情報保持部が保持している電力情報に基づいて最後に制御指令を生成してから、第１の時間が経過した場合に、前記第１の電力情報保持部が保持している電力情報を統計処理して前記制御指令を生成する。
【００１８】
上記の課題を解決するための本発明のさらに他の態様は、建物で消費される電力を制御する建物管理装置における広域管理方法であって、前記建物管理装置が、消費電力の削減を指示する制御指令を複数の前記建物管理装置に対して送信する広域管理装置から前記制御指令を受信した場合に、前記制御指令に対応付けて、当該制御指令を実現するために、当該建物管理装置に対応する建物内の各設備機器に対して行うべき制御内容を記述したイベントプログラムを保持するイベントプログラム保持部を参照して、当該制御指令に対応するイベントプログラムを抽出するイベントプログラム抽出ステップと、抽出したイベントプログラムを実行して各設備機器の消費電力を制御するイベントプログラム実行ステップと、当該建物管理装置に対応する建物内の各設備機器から、当該設備機器の消費電力を含む電力情報を随時収集して、当該設備機器に対応付けて第２の電力情報保持部に保持させる電力情報収集ステップと、前記第２の電力情報保持部が保持している電力情報を統計処理して、前記イベントプログラム抽出ステップにおいて前記イベントプログラムを抽出するための前記制御指令を生成する第２の制御指令生成ステップとを実行する。前記建物管理装置は、前記第２の制御指令生成ステップにおいて、前記広域管理装置から前記制御指令を最後に受信してから、または、前記第２の電力情報保持部が保持している電力情報に基づいて最後に制御指令を生成してから、第２の時間が経過した場合に、前記第２の電力情報保持部が保持している電力情報を統計処理して前記制御指令を生成する。
【発明の効果】
【００１９】
本発明によれば、管理対象の建物の数が多い場合であっても、個々の建物の消費電力を適切に管理することができる。
【図面の簡単な説明】
【００２０】
【図１】本発明の一実施形態に係る広域管理システム１０の構成の一例を示すシステム構成図である。
【図２】第１の実施形態における広域管理装置２０の機能構成の一例を示すブロック図である。
【図３】指令情報格納部２１に格納されるデータの構造の一例を示す図である。
【図４】イベントプログラム格納部２５に格納されるプログラムテーブル２５０のデータ構造の一例を示す図である。
【図５】イベントプログラム格納部２５に格納される対応表２５５のデータ構造の一例を示す図である。
【図６】建物毎の制御内容の一例を説明するための概念図である。
【図７】第１の実施形態における建物管理装置３０の機能構成の一例を示すブロック図である。
【図８】第１の実施形態における広域管理装置２０の動作の一例を示すフローチャートである。
【図９】第１の実施形態における建物管理装置３０の動作の一例を示すフローチャートである。
【図１０】第２の実施形態における広域管理装置２０の機能構成の一例を示すブロック図である。
【図１１】電力情報格納部２６に格納されるデータの構造の一例を示す図である。
【図１２】省電力量算出処理の一例を説明するための概念図である。
【図１３】第２の実施形態における建物管理装置３０の機能構成の一例を示すブロック図である。
【図１４】第２の実施形態における広域管理装置２０の動作の一例を示すフローチャートである。
【図１５】第２の実施形態における建物管理装置３０の動作の一例を示すフローチャートである。
【図１６】広域管理装置２０または建物管理装置３０の機能を実現するコンピュータ４０のハードウェア構成の一例を示す図である。
【図１７】建物毎の制御内容の他の例を説明するための概念図である。
【発明を実施するための形態】
【００２１】
まず、本発明の第１の実施形態について、図面を参照しながら説明する。
【００２２】
図１は、本発明の一実施形態における広域管理システム１０の構成の一例を示すシステム構成図である。広域管理システム１０は、広域管理装置２０および複数の建物１４のそれぞれに設けられた建物管理装置３０を備える。広域管理装置２０およびそれぞれの建物管理装置３０は、通信回線１３を介して通信データの送受信が可能である。
【００２３】
広域管理装置２０は、操作端末１１を介して管理者１２から、それぞれの建物１４の消費電力を制御する制御指令を受け付ける。そして、広域管理装置２０は、受け付けた制御指令を、管理対象の全ての建物１４に設けられている建物管理装置３０へ通信回線１３を介して送信する。
【００２４】
また、広域管理装置２０は、広域通信回線１８を介して他の装置から制御指令を受け付けた場合にも、操作端末１１を介して管理者１２から制御指令を受け付けた場合と同様に動作することができる。「他の装置」とは、例えばＣＥＭＳ（Cluster/Community Energy Management System）等の地域全体のエネルギーマネジメントシステムにおいて、地域内の各建物の電力を制御すべく制御指令を送信するコミュニティ連携装置１７などが考えられる。
【００２５】
それぞれの建物管理装置３０は、建物１４内に設けられているＬＡＮ等の通信網１６に接続されており、建物１４内に設けられている各設備機器１５と通信網１６を介して通信データの送受信が可能である。また、建物管理装置３０は、通信回線１３を介して広域管理装置２０から、制御指令に対応付けられたイベントプログラムを受信して保持する。それぞれの建物管理装置３０は、例えば、ＢＥＭＳ（Building Energy and Environmental Management System）に用いられる機器で構成されてもよい。
【００２６】
本実施形態において、イベントプログラムとは、建物１４内に設けられている設備機器１５の動作を制御してそれぞれの設備機器１５の消費電力を制御するためのプログラムである。それぞれの建物管理装置３０は、通信回線１３を介して広域管理装置２０から制御指令を受信した場合に、受信した制御指令に対応するイベントプログラムを実行することにより、制御指令に応じて建物１４全体の消費電力を制御する。
【００２７】
図２は、第１の実施形態における広域管理装置２０の詳細な機能構成の一例を示すブロック図である。本実施形態における広域管理装置２０は、指令情報格納部２１、制御指令受付部２２、イベントプログラム受付部２３、送信部２４、およびイベントプログラム格納部２５を有する。
【００２８】
指令情報格納部２１には、例えば図３に示すように、それぞれの制御指令を識別する指令ＩＤ２１０に対応付けて、当該制御指令の内容２１１を示す情報が格納される。ここで、「定常運転」とは、例えば予め定められた設定で通常の運転を行う旨の指示であり、「ｘ％省電力化」とは、例えば管理下の全ての建物の消費電力の合計をｘ％下げる旨の指示であり、「マニュアル操作優先運転」とは、例えば基本的に定常運転を行い、マニュアル操作があった場合にはその操作に応じた制御を優先する旨の指示である。指令情報格納部２１内の情報は、操作端末１１を介して書き換え可能である。
【００２９】
また、イベントプログラム格納部２５には、プログラムテーブル２５０および対応表２５５が格納される。プログラムテーブル２５０には、例えば図４に示すように、それぞれのイベントプログラムを識別するプログラムＩＤ２５１に対応付けて、イベントプログラム本体２５２が格納される。
【００３０】
また、対応表２５５には、例えば図５に示すように、建物ＩＤ２５６に対応付けて、建物別対応表２５７が格納される。それぞれの建物別対応表２５７には、それぞれの制御指令を識別する指令ＩＤ２５８毎に、対応する建物１４において、当該制御指令を実現するイベントプログラムのプログラムＩＤ２５９が格納される。
【００３１】
制御指令受付部２２は、操作端末１１を介して管理者１２から制御指令の閲覧を要求された場合に、指令ＩＤおよび対応する制御指令の内容を指令情報格納部２１から読み出して操作端末１１の画面に表示させる。そして、操作端末１１を介して管理者１２から制御指令の選択を受け付けた場合、制御指令受付部２２は、選択された制御指令の指令ＩＤを送信部２４へ送る。
【００３２】
イベントプログラム受付部２３は、操作端末１１を介して管理者１２からプログラムテーブル２５０および対応表２５５のデータを受け付けた場合に、受け付けたこれらのデータをイベントプログラム格納部２５に格納する。
【００３３】
送信部２４は、管理対象となる全ての建物１４内の建物管理装置３０のアドレス情報を予め保持しており、イベントプログラム格納部２５内にプログラムテーブル２５０および対応表２５５のデータが登録された場合に、登録されたこれらのデータを、管理対象の全ての建物１４内の建物管理装置３０へ、通信回線１３を介して送信する。また、制御指令受付部２２から指令ＩＤを受け取った場合、送信部２４は、受け取った指令ＩＤを、管理対象の全ての建物１４内の建物管理装置３０へ、通信回線１３を介して送信する。
【００３４】
なお、制御指令やイベントプログラム格納部２５内のデータは、それぞれの建物１４内の建物管理装置３０へユニキャストで送信することも可能であるが、複数の建物管理装置３０へ送信される情報は同一であるため、マルチキャスト等のように通信トラフィックの少ない送信方法で送信されることが好ましい。
【００３５】
また、イベントプログラム格納部２５内のデータについては、建物１４毎に建物別対応表２５７の内容が異なること、建物１４内の設備機器１５の増設や撤去、交換等はそれ程頻繁に行われることはなく、イベントプログラム格納部２５内の情報が更新される頻度はそれ程高くないこと等の理由から、イベントプログラム格納部２５内の情報については、建物１４毎に当該建物１４に必要となる部分のみをユニキャストで送信し、制御指令についてはマルチキャストで送信するようにしてもよい。
【００３６】
このように、イベントプログラムと制御指令とはユニキャストとマルチキャストを使って送信することができる。例えば、イベントプログラムと制御指令のいずれもマルチキャストで複数の建物管理装置３０へ送信し、当該イベントプログラムと制御指令を受信した建物管理装置３０が、自身宛てのイベントプログラムと制御指令かを判定してイベントプログラム格納部３１内に格納してもよく、説明した方法に限定されるものではない。
【００３７】
ここで、制御指令と建物１４毎に実行されるイベントプログラムの内容とを対応付けて説明すると、例えば図６のようになる。
【００３８】
図６に例示したように、例えば、建物ＩＤが「Ｂ００１」の「建物１」には、「１０％省電力化」の制御指令「Ｃ００１」に対して、「照明制御」については制御を行わず、「空調制御」については「設定温度を２℃変更」するという内容の制御を実行する「Ｐ００１」のイベントプログラムが対応付けられている。なお、「空調制御」における「設定温度を２℃変更」とは、例えば、冷房中であれば設定温度を２℃上昇させ、暖房中であれば設定温度を２℃下降させるという制御を意味する。
【００３９】
また、「建物１」には、「２０％省電力化」の制御指令「Ｃ００２」に対して、「照明制御」については「照明１」付近の「ブラインドを開く」、「空調制御」については「設定温度を４℃変更」するという内容の制御を実行する「Ｐ００２」のイベントプログラムが対応付けられている。なお、「建物１」として昇降機が設けられていない建物を想定したため、昇降機の制御は行われない。
【００４０】
また、建物ＩＤが「Ｂ００２」の「建物２」には、「２０％省電力化」の制御指令「Ｃ００２」に対して、「照明制御」については「照明１」および「照明２」のいずれも近傍の「ブラインドを開く」、「空調制御」については「設定温度を２℃変更」する、「昇降機制御」については「昇降機１」を「停止」させるという内容の制御を実行する「Ｐ１０２」のイベントプログラムが対応付けられている。
【００４１】
このように、それぞれの建物について、異なる量の省電力化を指示する制御指令に対応付けて、当該省電力化を実現するための各設備機器１５の個別の制御を実現するイベントプログラムを対応付けている。これにより、広域管理装置２０から１つの制御指令が複数の建物１４内の建物管理装置３０へ共通に送信されたとしても、各建物管理装置３０では、当該建物１４内に設けられている各設備機器１５の個別の消費電力や制御方法に応じた制御を行うことができる。
【００４２】
これにより、広域管理装置２０は、省電力化が必要になる都度、建物１４毎に異なる制御指令を作成して各建物１４へ個別に送信しなくても、全体の省電力化を指示する１つの制御指令を対象となる全ての建物１４へ共通に送信すれば、複数の建物１４全体として所望の省電力化を実現することができる。
【００４３】
図７は、第１の実施形態における建物管理装置３０の機能構成の一例を示すブロック図である。本実施形態における建物管理装置３０は、イベントプログラム格納部３１、受信部３２、イベントプログラム抽出部３３、およびイベントプログラム実行部３４を有する。
【００４４】
イベントプログラム格納部３１には、例えば図４で説明したプログラムテーブル２５０と、図５で説明した建物別対応表２５７とが格納される。なお、プログラムテーブル２５０については、建物別対応表２５７に格納されているプログラムＩＤ２５９に対応するイベントプログラムについてのデータがあればよい。また、建物別対応表２５７については、当該建物管理装置３０が設けられている建物１４の建物ＩＤ２５６に対応付けられているものであれば、他の建物１４の建物ＩＤ２５６に対応付けられている建物別対応表２５７については不要である。
【００４５】
受信部３２は、通信回線１３を介して広域管理装置２０からプログラムテーブル２５０および対応表２５５を受信した場合に、受信した対応表２５５の中で、当該建物管理装置３０が設けられている建物１４の建物ＩＤ２５６に対応付けられている建物別対応表２５７をイベントプログラム格納部３１に格納する。
【００４６】
また、受信部３２は、受信したプログラムテーブル２５０の中で、イベントプログラム格納部３１に格納した建物別対応表２５７にプログラムＩＤが格納されているイベントプログラムを、プログラムＩＤに対応付けてイベントプログラム格納部３１に格納する。
【００４７】
また、受信部３２は、通信回線１３を介して広域管理装置２０から制御指令の指令ＩＤを受信した場合に、受信した指令ＩＤをイベントプログラム抽出部３３へ送る。
【００４８】
イベントプログラム抽出部３３は、受信部３２から指令ＩＤを受け取った場合に、イベントプログラム格納部３１を参照して、受け取った指令ＩＤに対応付けられているプログラムＩＤを特定する。そして、イベントプログラム抽出部３３は、特定したプログラムＩＤに対応付けられているイベントプログラムを抽出し、抽出したイベントプログラムをイベントプログラム実行部３４へ送る。
【００４９】
イベントプログラム実行部３４は、イベントプログラム抽出部３３から受け取ったイベントプログラムを実行することにより、建物１４内に設けられているそれぞれの設備機器１５の動作を制御して、それぞれの設備機器１５の消費電力を制御する。
【００５０】
図８は、第１の実施形態における広域管理装置２０の動作の一例を示すフローチャートである。例えば、複数の建物の消費電力の管理を行うためのプログラムが起動することにより、広域管理装置２０は、本フローチャートに示す動作を開始する。
【００５１】
まず、イベントプログラム受付部２３は、操作端末１１を介して管理者１２から、プログラムテーブル２５０および対応表２５５のデータを受信したか否かを判定する（Ｓ１００）。プログラムテーブル２５０および対応表２５５のデータを受信した場合（Ｓ１００：Ｙｅｓ）、イベントプログラム受付部２３は、受信したこれらのデータをイベントプログラム格納部２５に格納する（Ｓ１０１）。
【００５２】
次に、送信部２４は、イベントプログラム格納部２５に格納されたプログラムテーブル２５０および対応表２５５のデータを、管理対象となっている全ての建物１４の建物管理装置３０へ、通信回線１３を介して送信し（Ｓ１０２）、イベントプログラム受付部２３は、再びステップＳ１００に示した処理を実行する。
【００５３】
プログラムテーブル２５０および対応表２５５のデータを受信していない場合（Ｓ１００：Ｎｏ）、制御指令受付部２２は、操作端末１１を介して管理者１２から、制御指令の選択を受け付けたか否かを判定する（Ｓ１０３）。制御指令の選択を受け付けていない場合（Ｓ１０３：Ｎｏ）、イベントプログラム受付部２３は、再びステップＳ１００に示した処理を実行する。
【００５４】
一方、制御指令の選択を受け付けた場合（Ｓ１０３：Ｙｅｓ）、制御指令受付部２２は、指令情報格納部２１を参照して、選択された制御指令に対応する指令ＩＤを特定し、特定した指令ＩＤを送信部２４へ送る。送信部２４は、制御指令受付部２２から受け取った指令ＩＤを、管理対象となっている全ての建物１４の建物管理装置３０へ、通信回線１３を介して送信し（Ｓ１０４）、イベントプログラム受付部２３は、再びステップＳ１００に示した処理を実行する。
【００５５】
図９は、第１の実施形態における建物管理装置３０の動作の一例を示すフローチャートである。例えば、設備機器の管理を行うためのプログラムが起動することにより、建物管理装置３０は、本フローチャートに示す動作を開始する。
【００５６】
まず、受信部３２は、通信回線１３を介して広域管理装置２０から、プログラムテーブル２５０および対応表２５５のデータを受信したか否かを判定する（Ｓ２００）。プログラムテーブル２５０および対応表２５５のデータを受信した場合（Ｓ２００：Ｙｅｓ）、受信部３２は、受信した対応表２５５の中で、当該建物管理装置３０が設けられている建物１４の建物ＩＤ２５６に対応付けられている建物別対応表２５７をイベントプログラム格納部３１に格納する。
【００５７】
そして、受信部３２は、受信したプログラムテーブル２５０の中で、イベントプログラム格納部３１に格納した建物別対応表２５７にプログラムＩＤが格納されているイベントプログラムを、プログラムＩＤに対応付けてイベントプログラム格納部３１に格納し（Ｓ２０１）、再びステップＳ２００に示した処理を実行する。
【００５８】
プログラムテーブル２５０および対応表２５５のデータを受信していない場合（Ｓ２００：Ｎｏ）、受信部３２は、通信回線１３を介して広域管理装置２０から指令ＩＤを受信したか否かを判定する（Ｓ２０２）。指令ＩＤを受信していない場合（Ｓ２０２：Ｎｏ）、受信部３２は、再びステップＳ２００に示した処理を実行する。
【００５９】
指令ＩＤを受信した場合（Ｓ２０２：Ｙｅｓ）、受信部３２は、受信した指令ＩＤをイベントプログラム抽出部３３へ送る。イベントプログラム抽出部３３は、受信部３２から受け取った指令ＩＤに基づいてイベントプログラム格納部３１を参照し、受け取った指令ＩＤに対応付けられているプログラムＩＤを特定する。そして、イベントプログラム抽出部３３は、特定したプログラムＩＤに対応付けられているイベントプログラムを抽出し、抽出したイベントプログラムをイベントプログラム実行部３４へ送る（Ｓ２０３）。
【００６０】
次に、イベントプログラム実行部３４は、イベントプログラム抽出部３３から受け取ったイベントプログラムを実行し（Ｓ２０４）、建物１４内に設けられているそれぞれの設備機器１５の動作を制御して、それぞれの設備機器１５の消費電力を制御する。そして、受信部３２は、再びステップＳ２００に示した処理を実行する。
【００６１】
以上、本発明の第１の実施形態について説明した。
【００６２】
上記説明から明らかなように、本実施形態の広域管理システム１０によれば、広域管理装置２０が１つの制御指令を複数の建物１４内の建物管理装置３０へ共通に送信して個々の建物１４の消費電力を制御するので、管理対象の建物の数が多い場合であっても、複数の建物１４のそれぞれに対応した制御指令を生成しなくてもよく制御指令の生成が容易となり、個々の建物の消費電力を適切に制御して管理することができる。
【００６３】
さらに、本実施形態の広域管理システム１０によれば、複数の建物１４のそれぞれに別個の制御指令を送信しなくてもよく、通信回線１３を介して広域管理装置２０と建物管理装置３０との間で授受されるデータ量を低減することができる。
【００６４】
次に、本発明の第２の実施形態について、図面を参照しながら説明する。
【００６５】
図１０は、第２の実施形態における広域管理装置２０の構成の一例を示すブロック図である。本実施形態における広域管理装置２０は、指令情報格納部２１、制御指令受付部２２、イベントプログラム受付部２３、送信部２４、イベントプログラム格納部２５、電力情報格納部２６、制御指令生成部２７、および受信部２８を有する。なお、以下に説明する点を除き、図１０において、図２と同じ符号を付した構成は、図２における構成と同一または同様の機能を有するためその詳細な説明を省略する。
【００６６】
制御指令受付部２２は、操作端末１１を介して管理者１２から制御指令の選択を受け付けた場合に、選択された制御指令の指令ＩＤを送信部２４および制御指令生成部２７へ送る。
【００６７】
電力情報格納部２６には、例えば図１１に示すように、建物ＩＤ２６０に対応付けて、電力情報テーブル２６１が格納される。それぞれの電力情報テーブル２６１には、日付２６２に対応付けて、それぞれの時間帯毎の消費電力２６３が格納される。消費電力２６３は、それぞれの時間帯における、建物１４内の設備機器１５の消費電力の合計を表わしている。
【００６８】
受信部２８は、通信回線１３を介して建物管理装置３０から建物ＩＤと共に、時間帯毎の消費電力の合計値を受信した場合に、受信した建物ＩＤに対応する電力情報テーブル２６１を電力情報格納部２６内で特定し、特定した電力情報テーブル２６１内の該当する日付および時間帯の欄に、受信した消費電力の合計値を格納する。
【００６９】
制御指令生成部２７は、電力情報格納部２６を参照して、管理対象となる全ての建物１４全体の省電力量を統計処理により算出する省電力量算出処理を実行する。そして、制御指令生成部２７は、算出した省電力量に対応する制御指令を、指令情報格納部２１を参照して特定し、特定した制御指令に対応する指令ＩＤを送信部２４へ送る。送信部２４は、制御指令生成部２７から指令ＩＤを受け取った場合にも、受け取った指令ＩＤを、管理対象となっている全ての建物１４の建物管理装置３０へ、通信回線１３を介して送信する。
【００７０】
ここで、省電力量算出処理の一例について説明する。図１２は、省電力量算出処理の一例を説明するための概念図である。例えば、現在時刻が「２０１３／２／１１（月）」の１４時である場合、制御指令生成部２７は、電力情報格納部２６を参照して、まず、例えばその１時間前までの同じ時間帯（例えば１３：００−１４：００の時間帯）における過去１週間の総消費電力を、例えば図１２のように、日毎に求める。ここで、総消費電力とは、その日のその時間帯におけるそれぞれの建物１４内の全ての設備機器１５の消費電力の合計を、複数の建物１４について合計した消費電力の値である。
【００７１】
そして、制御指令生成部２７は、過去１週間の同じ時間帯における日毎の総消費電力の中で、最大値を平均の算出対象から除外する。図１２の例では、「２０１３／２／６（水）」の「１５０ｋＷ」が除外される。
【００７２】
次に、制御指令生成部２７は、本日が平日なので、過去１週間の同じ時間帯における日毎の総消費電力の中で、休日に当たる日の総消費電力を平均の算出対象から除外する。なお、本日が休日であれば、制御指令生成部２７は、過去１週間の同じ時間帯における日毎の総消費電力の中で、平日に当たる日の総消費電力を除外する。
【００７３】
なお、除外する総消費電力の特定方法はこれに限らず、最大値および最小値を除外したり、平均から３σ（σは標準偏差）を超える総消費電力を除外する等の方法であってもよい。
【００７４】
次に、制御指令生成部２７は、このようにして残った総消費電力を、図１２に示すように、それぞれｐｏｗ［０］〜ｐｏｗ［３］として、その平均値ｐｏｗ＿ａｖｒを算出する。そして、制御指令生成部２７は、本日の１３：００−１４：００の総消費電力の値をｐｏｗ＿ｎｏｗとして、下記の算出式（１）により、省電力量を算出する。
省電力量＝（ｐｏｗ＿ｎｏｗ−ｐｏｗ＿ａｖｒ）／ｐｏｗ＿ｎｏｗ  ・・・（１）
【００７５】
図１２の例では、制御指令生成部２７は、省電力量を０．１と算出する。そして、制御指令生成部２７は、算出した省電力量に最も近い制御指令を指令情報格納部２１（図３参照）から特定し、特定した制御指令に対応する指令ＩＤを送信部２４へ送る。本実施形態において、制御指令生成部２７は、「０．１」の省電力量に対して「１０％の省電力化」の制御指令を最も近い制御指令として特定する。
【００７６】
なお、制御指令生成部２７は、管理者１２から選択された制御指令に対応する指令ＩＤを送信部２４が最後に送信してから、または、制御指令生成部２７が省電力量算出処理で求めた省電力量に対応する指令ＩＤを送信部２４が最後に送信してから、所定の待ち時間（例えば１時間）が経過した場合に、制御指令生成部２７は、省電力量算出処理を実行する。
【００７７】
これにより、管理者１２が省電力の指令を選択し忘れたとしても、広域管理装置２０は、各建物１４の消費電力を適切な範囲に保つように制御することができる。さらに、管理者１２が休日などで不在の場合に省電力の指令を選択できないときにも、広域管理装置２０は、各建物１４の消費電力を適切な範囲に保つように制御することができる。
なお、制御指令生成部２７による制御指令の生成方法には様々なものが考えられ、説明した方法に限定されるものではない。
【００７８】
なお、制御指令生成部２７は、直前に制御指令受付部２２から受け取った指令ＩＤが、「マニュアル操作優先運転」に対応する指令ＩＤである場合、「マニュアル操作優先運転」以外の制御指令に対応する指令ＩＤを制御指令受付部２２から受け取るまで、上記した省電力量算出処理の実行を停止する。
【００７９】
このように、「マニュアル操作優先運転」に対応する指令ＩＤを用いることで、建物１４内に設けられている設備機器１５の操作や設定を、広域管理装置２０からの制御指令より優先して実施できる。例えば、休日や夜間などに特定の空調機や特定の照明の操作を制御指令に基づく操作よりも優先して実施したいとき等に、「マニュアル操作優先運転」に対応する指令ＩＤが用いられる。
【００８０】
図１３は、第２の実施形態における建物管理装置３０の機能構成の一例を示すブロック図である。本実施形態における建物管理装置３０は、イベントプログラム格納部３１、受信部３２、イベントプログラム抽出部３３、イベントプログラム実行部３４、電力情報送信部３５、電力情報格納部３６、電力情報収集部３７、および制御指令生成部３８を有する。なお、以下に説明する点を除き、図１３において、図７と同じ符号を付した構成は、図７における構成と同一または同様の機能を有するためその詳細な説明を省略する。
【００８１】
受信部３２は、通信回線１３を介して広域管理装置２０から制御指令の指令ＩＤを受信した場合に、受信した指令ＩＤをイベントプログラム抽出部３３および制御指令生成部３８へ送る。
【００８２】
電力情報格納部３６には、例えば図１１で説明した、当該建物管理装置３０が設けられている建物１４の建物ＩＤ２６０に対応付けられている電力情報テーブル２６１が格納される。
【００８３】
電力情報収集部３７は、所定のタイミング毎に、建物１４内の各設備機器１５の消費電力の計測値を収集する。そして、電力情報収集部３７は、所定時間帯毎に全ての設備機器１５の消費電力の計測値を合計し、電力情報格納部３６内の該当する日付の該当する時間帯の欄に、消費電力の合計値を格納する。
【００８４】
電力情報送信部３５は、電力情報格納部３６に消費電力の合計値が格納さる都度、格納された消費電力の合計値を、当該建物管理装置３０が設けられている建物１４の建物ＩＤと共に、通信回線１３を介して広域管理装置２０へ送信する。
【００８５】
制御指令生成部３８は、電力情報格納部３６を参照して、当該建物管理装置３０が設けられている建物１４の省電力量を統計処理により算出する個別省電力量算出処理を実行する。そして、制御指令生成部３８は、算出した省電力量に対応する制御指令の指令ＩＤを、イベントプログラム抽出部３３へ送る。
【００８６】
イベントプログラム抽出部３３は、制御指令生成部３８から指令ＩＤを受け取った場合にも、イベントプログラム格納部３１を参照して、受け取った指令ＩＤに対応付けられているプログラムＩＤを特定し、特定したプログラムＩＤに対応付けられているイベントプログラムを抽出してイベントプログラム実行部３４へ送る。
【００８７】
なお、制御指令生成部３８によって行われる個別省電力量算出処理は、広域管理装置２０の制御指令生成部２７によって行われる省電力量算出処理と同様であるが、平均の算出対象となる消費電力が、当該建物管理装置３０が設けられている建物１４の消費電力の合計である点が異なる。
【００８８】
即ち、制御指令生成部３８は、現在時刻の例えば１時間前までの同じ時間帯における過去１週間の同じ時間帯における日毎の建物１４内の消費電力の中で、最大値を平均の算出対象から除外する。
【００８９】
次に、制御指令生成部３８は、本日が平日であれば、過去１週間の同じ時間帯における日毎の建物１４内の消費電力の中で、休日に当たる日の消費電力を平均の算出対象から除外する。そして、制御指令生成部３８は、残った消費電力の値の平均をｐｏｗ＿ａｖｒとして算出する。
【００９０】
そして、制御指令生成部３８は、本日の同じ時間帯の消費電力の値をｐｏｗ＿ｎｏｗとして、前述の算出式（１）により、省電力量を算出する。そして、制御指令生成部３８は、算出した省電力量に最も近い制御指令をイベントプログラム格納部３１から特定し、特定した制御指令に対応する指令ＩＤをイベントプログラム抽出部３３へ送る。
【００９１】
なお、制御指令生成部３８は、広域管理装置２０から受信した指令ＩＤに対応するイベントプログラムを最後に実行してから、または、制御指令生成部３８が個別省電力量算出処理で求めた省電力量に対応する指令ＩＤに対応するイベントプログラムを最後に実行してから、所定の待ち時間（例えば１時間）が経過した場合に、制御指令生成部３８は、個別電力量算出処理を実行する。
【００９２】
これにより、広域管理装置２０や通信回線１３に障害が発生した場合であっても、建物管理装置３０は、建物１４全体の消費電力を適切な範囲に保つように制御することができる。なお、制御指令生成部３８によって個別省電力量算出処理が行われるまでの待ち時間は、広域管理装置２０の制御指令生成部２７によって省電力量算出処理が行われるまでの待ち時間と同じか、それよりも長いことが好ましい。これにより、広域管理装置２０や通信回線１３に障害が発生していない状況においては、各建物１４内の設備機器１５の消費電力は、広域管理装置２０によって制御および管理することができる。
【００９３】
なお、制御指令生成部３８は、直前に受信部３２から受け取った指令ＩＤが、「マニュアル操作優先運転」に対応する指令ＩＤである場合、「マニュアル操作優先運転」以外の制御指令に対応する指令ＩＤを受信部３２から受け取るまで、上記した個別省電力量算出処理の実行を停止する。
【００９４】
図１４は、第２の実施形態における広域管理装置２０の動作の一例を示すフローチャートである。なお、以下に説明する点を除き、図１４において、図８と同じ符号を付した処理は、図８における処理と同一または同様の処理であるためその詳細な説明を省略する。
【００９５】
ステップＳ１０３において、制御指令の選択を受け付けていない場合（Ｓ１０３：Ｎｏ）、制御指令生成部２７は、直前に送信された指令ＩＤが「マニュアル操作優先運転」に対応する指令ＩＤであるか否かを判定することにより、マニュアル操作優先運転中か否かを判定する（Ｓ１０５）。直前に送信された指令ＩＤが「マニュアル操作優先運転」に対応する指令ＩＤである場合、即ち、マニュアル操作優先運転中である場合（Ｓ１０５：Ｙｅｓ）、イベントプログラム受付部２３は、再びステップＳ１００に示した処理を実行する。
【００９６】
一方、直前に送信された指令ＩＤが「マニュアル操作優先運転」に対応する指令ＩＤではない場合、即ち、マニュアル操作優先運転中ではない場合（Ｓ１０５：Ｎｏ）、制御指令生成部２７は、ステップＳ１０４が最後に実行されてから、または、後述するステップＳ１０８が最後に実行されてから、所定の待ち時間が経過したか否かを判定する（Ｓ１０６）。所定の待ち時間が経過していない場合（Ｓ１０６：Ｎｏ）、イベントプログラム受付部２３は、再びステップＳ１００に示した処理を実行する。
【００９７】
一方、所定の待ち時間が経過した場合（Ｓ１０６：Ｙｅｓ）、制御指令生成部２７は、電力情報格納部２６を参照して、管理対象となる全ての建物１４全体の省電力量を算出する省電力量算出処理を実行する。そして、制御指令生成部２７は、算出した省電力量に対応する制御指令を、指令情報格納部２１を参照して特定し、特定した制御指令に対応する指令ＩＤを送信部２４へ送る（Ｓ１０７）。
【００９８】
次に、送信部２４は、制御指令生成部２７から受け取った指令ＩＤを、管理対象となっている全ての建物１４の建物管理装置３０へ、通信回線１３を介して送信し（Ｓ１０８）、イベントプログラム受付部２３は、再びステップＳ１００に示した処理を実行する。
【００９９】
図１５は、第２の実施形態における建物管理装置３０の動作の一例を示すフローチャートである。なお、以下に説明する点を除き、図１５において、図９と同じ符号を付した処理は、図９における処理と同一または同様の処理であるためその詳細な説明を省略する。
【０１００】
ステップＳ２０２において、指令ＩＤを受信していない場合（Ｓ２０２：Ｎｏ）、制御指令生成部３８は、直前に受信した指令ＩＤが「マニュアル操作優先運転」に対応する指令ＩＤであるか否かを判定することにより、マニュアル操作優先運転中か否かを判定する（Ｓ２０５）。直前に受信した指令ＩＤが「マニュアル操作優先運転」に対応する指令ＩＤである場合、即ち、マニュアル操作優先運転中である場合（Ｓ２０５：Ｙｅｓ）、受信部３２は、再びステップＳ２００に示した処理を実行する。
【０１０１】
一方、直前に受信した指令ＩＤが「マニュアル操作優先運転」に対応する指令ＩＤではない場合、即ち、マニュアル操作優先運転中ではない場合（Ｓ２０５：Ｎｏ）、制御指令生成部３８は、ステップＳ２０４が最後に実行されてから、または、後述するステップＳ２０７が最後に実行されてから、所定の待ち時間が経過したか否かを判定する（Ｓ２０６）。所定の待ち時間が経過していない場合（Ｓ２０６：Ｎｏ）、受信部３２は、再びステップＳ２００に示した処理を実行する。
【０１０２】
一方、所定の待ち時間が経過した場合（Ｓ２０６：Ｙｅｓ）、制御指令生成部３８は、電力情報格納部３６を参照して、当該建物管理装置３０が設けられている建物１４の省電力量を算出する個別省電力量算出処理を実行する。そして、制御指令生成部３８は、算出した省電力量に対応する制御指令の指令ＩＤを特定する。そして、制御指令生成部３８は、特定した指令ＩＤをイベントプログラム抽出部３３へ送り（Ｓ２０７）、イベントプログラム抽出部３３は、ステップＳ２０３に示した処理を実行する。
【０１０３】
以上、本発明の第２の実施形態について説明した。
【０１０４】
なお、上記第１または第２の実施形態における広域管理装置２０または建物管理装置３０は、例えば図１６に示すような構成のコンピュータ４０によって実現される。
【０１０５】
図１６は、広域管理装置２０または建物管理装置３０の機能を実現するコンピュータ４０のハードウェア構成の一例を示すハードウェア構成図である。コンピュータ４０は、ＣＰＵ（Central Processing Unit）４１、ＲＡＭ（Random Access Memory）４２、ＲＯＭ（Read Only Memory）４３、ＨＤＤ（Hard Disk Drive）４４、通信インターフェイス（Ｉ／Ｆ）４５、入出力インターフェイス（Ｉ／Ｆ）４６、およびメディアインターフェイス（Ｉ／Ｆ）４７を備える。
【０１０６】
ＣＰＵ４１は、ＲＯＭ４３またはＨＤＤ４４に格納されたプログラムに基づいて動作し、各部の制御を行う。ＲＯＭ４３は、コンピュータ４０の起動時にＣＰＵ４１によって実行されるブートプログラムや、コンピュータ４０のハードウェアに依存するプログラム等を格納する。
【０１０７】
ＨＤＤ４４は、ＣＰＵ４１によって実行されるプログラムおよび当該プログラムによって使用されるデータ等を格納する。通信インターフェイス４５は、通信回線を介して他の機器からデータを受信してＣＰＵ４１へ送ると共に、ＣＰＵ４１が生成したデータを、通信回線を介して他の機器へ送信する。
【０１０８】
ＣＰＵ４１は、入出力インターフェイス４６を介して、ディスプレイ等の出力装置、および、マウスやキーボード等の入力装置を制御する。ＣＰＵ４１は、入出力インターフェイス４６を介して、入力装置から信号を取得する。また、ＣＰＵ４１は、生成した信号を、入出力インターフェイス４６を介して出力装置へ出力する。
【０１０９】
メディアインターフェイス４７は、記録媒体４８に格納されたプログラムまたはデータを読み取り、ＲＡＭ４２を介してＣＰＵ４１に提供する。ＣＰＵ４１は、当該プログラムを、メディアインターフェイス４７を介して記録媒体４８からＲＡＭ４２上にロードし、ロードしたプログラムを実行する。記録媒体４８は、例えばＤＶＤ（Digital Versatile Disk）、ＰＤ（Phase change rewritable Disk）等の光学記録媒体、ＭＯ（Magneto-Optical disk）等の光磁気記録媒体、テープ媒体、磁気記録媒体、または半導体メモリ等である。
【０１１０】
コンピュータ４０が第１の実施形態における広域管理装置２０として機能する場合、コンピュータ４０のＣＰＵ４１は、ＲＡＭ４２上にロードされたプログラムを実行することにより、指令情報格納部２１、制御指令受付部２２、イベントプログラム受付部２３、送信部２４、およびイベントプログラム格納部２５の各機能を実現する。また、指令情報格納部２１やイベントプログラム格納部２５内のデータは、ＲＯＭ４３やＨＤＤ４４内に格納されてもよく、ネットワーク上のデータベースに格納されてもよい。
【０１１１】
また、コンピュータ４０が第１の実施形態における建物管理装置３０として機能する場合、コンピュータ４０のＣＰＵ４１は、ＲＡＭ４２上にロードされたプログラムを実行することにより、イベントプログラム格納部３１、受信部３２、イベントプログラム抽出部３３、およびイベントプログラム実行部３４の各機能を実現する。また、イベントプログラム格納部３１内のデータは、ＲＯＭ４３やＨＤＤ４４内に格納されてもよく、ネットワーク上のデータベースに格納されてもよい。
【０１１２】
また、コンピュータ４０が第２の実施形態における広域管理装置２０として機能する場合、コンピュータ４０のＣＰＵ４１は、ＲＡＭ４２上にロードされたプログラムを実行することにより、指令情報格納部２１、制御指令受付部２２、イベントプログラム受付部２３、送信部２４、イベントプログラム格納部２５、電力情報格納部２６、制御指令生成部２７、および受信部２８の各機能を実現する。また、指令情報格納部２１やイベントプログラム格納部２５、電力情報格納部２６内のデータは、ＲＯＭ４３やＨＤＤ４４内に格納されてもよく、ネットワーク上のデータベースに格納されてもよい。
【０１１３】
また、コンピュータ４０が第２の実施形態における建物管理装置３０として機能する場合、コンピュータ４０のＣＰＵ４１は、ＲＡＭ４２上にロードされたプログラムを実行することにより、イベントプログラム格納部３１、受信部３２、イベントプログラム抽出部３３、イベントプログラム実行部３４、電力情報送信部３５、電力情報格納部３６、電力情報収集部３７、および制御指令生成部３８の各機能を実現する。また、イベントプログラム格納部３１や電力情報格納部３６内のデータは、ＲＯＭ４３やＨＤＤ４４内に格納されてもよく、ネットワーク上のデータベースに格納されてもよい。
【０１１４】
コンピュータ４０のＣＰＵ４１は、これらのプログラムを、記録媒体４８から読み取って実行するが、他の例として、他の装置から、通信回線を介してこれらのプログラムを取得してもよい。なお、広域管理装置２０や建物管理装置３０には、ＨＤＤ４４を設けずに、プログラムやデータ等は書き換え可能なＲＯＭ４３内に格納するようにしてもよい。
【０１１５】
また、本発明は、上記した実施形態に限定されるものではなく、その要旨の範囲内で数々の変形が可能である。
【０１１６】
例えば、上記した第２の実施形態では、広域管理装置２０および建物管理装置３０に、制御指令生成部２７および制御指令生成部３８がそれぞれ設けられるが、本発明はこれに限られず、広域管理装置２０および建物管理装置３０のいずれか一方に制御指令生成部が設けられるようにしてもよい。
【０１１７】
このように構成した場合であっても、広域管理装置２０に、電力情報格納部２６、制御指令生成部２７、および受信部２８が設けられた場合には、管理者１２が省電力の指令を選択し忘れたとしても、広域管理装置２０が各建物１４の消費電力を適切な範囲に保つように制御することができるという効果が得られ、建物管理装置３０に、電力情報送信部３５、電力情報格納部３６、電力情報収集部３７、および制御指令生成部３８が設けられた場合には、広域管理装置２０や通信回線１３に障害が発生した場合であっても、建物管理装置３０が建物１４全体の消費電力を適切な範囲に保つように制御することができるという効果が得られる。
【０１１８】
また、上記した各実施形態における制御指令では、１つの省電力量について、１つの指令ＩＤが対応しているが、本発明はこれに限られない。例えば、図１７に示すように、「１０％省電力化」の制御指令について、異なる指令ＩＤを割り当て、それぞれの指令ＩＤに対応付けて、各建物について異なる省電力制御を実行するようなイベントプログラムを対応付けるようにしてもよい。
【０１１９】
これにより、同じ量の省電力を内容とする「１０％省電力化」の制御指令であっても、建物毎に、あるいは、建物内の設備機器毎に、削減する電力量を変えることができるため、「建物１」では今現在イベントが開催されているため、削減する電力量を１３％に抑え、その代わり、人が少ない「建物２」で削減する電力量を１０％に増やすことで、全体として「１０％省電力化」を実現するというように、所定の期間毎に柔軟に削減する電力量の配分を変更することができる。さらに、季節の区別あるいは平日と休日の区別など、各建物について所定の区別に従った省電力制御を実行することができる。
【０１２０】
なお、上記した広域管理装置２０や建物管理装置３０内の各構成要素は、本実施形態に係る広域管理装置２０や建物管理装置３０の構成の理解を容易にするために、主な処理内容に応じて機能別に区分したものである。そのため、構成要素の区分方法やその名称によって、本願発明が制限されることはない。本実施形態に係る広域管理装置２０や建物管理装置３０の構成は、処理内容に応じて、さらに多くの構成要素に区分することもできるし、１つの構成要素がさらに多くの処理を実行するように区分することもできる。また、それぞれの処理は、ソフトウェアによる処理として実現されてもよく、ＡＳＩＣ（Application Specific Integrated Circuit）等の専用のハードウェアにより実現されてもよい。
【符号の説明】
【０１２１】
１０：広域管理システム、１１：操作端末、１２：管理者、１３：通信回線、１４：建物、１５：設備機器、１６：通信網、１７：コミュニティ連携装置、１８：広域通信回線、２０：広域管理装置、２１：指令情報格納部、２２：制御指令受付部、２３：イベントプログラム受付部、２４：送信部、２５：イベントプログラム格納部、２５０：プログラムテーブル、２５５：対応表、２６：電力情報格納部、２７：制御指令生成部、２８：受信部、３０：建物管理装置、３１：イベントプログラム格納部、３２：受信部、３３：イベントプログラム抽出部、３４：イベントプログラム実行部、３５：電力情報送信部、３６：電力情報格納部、３７：電力情報収集部、３８：制御指令生成部、４０：コンピュータ、４１：ＣＰＵ、４２：ＲＡＭ、４３：ＲＯＭ、４４：ＨＤＤ、４５：通信インターフェイス、４６：入出力インターフェイス、４７：メディアインターフェイス、４８：記録媒体
【図１】
0005826434.tif 000002
【図２】
0005826434.tif 000003
【図３】
0005826434.tif 000004
【図４】
0005826434.tif 000005
【図５】
0005826434.tif 000006
【図６】
0005826434.tif 000007
【図７】
0005826434.tif 000008
【図８】
0005826434.tif 000009
【図９】
0005826434.tif 000010
【図１０】
0005826434.tif 000011
【図１１】
0005826434.tif 000012
【図１２】
0005826434.tif 000013
【図１３】
0005826434.tif 000014
【図１４】
0005826434.tif 000015
【図１５】
0005826434.tif 000016
【図１６】
0005826434.tif 000017
【図１７】
0005826434.tif 000018